(57)【特許請求の範囲】
【請求項１】
頭髪に処理剤を塗布するための塗布具であって、
前記処理剤を収容する吐出容器が連結される容器連結部材と、
前記処理剤を吐出する吐出口を下面に備え、前記容器連結部材から前方に形成されている中空形状の上側誘導部材と、
前記上側誘導部材と並行に配置されて前記吐出口と対向する下側誘導部材と、
前記上側誘導部材と前記下側誘導部材とを並行に対向させたまま少なくとも一方を上下方向に変位させる並行支持機構と、
前記上側誘導部材の下面に櫛歯状に突出して形成される複数の頭髪誘導凸部と、
前記下側誘導部材の上面に形成されており複数の前記頭髪誘導凸部が個々に対向する複数の頭髪誘導凹部と、
を有する塗布具。
【請求項２】
前記上側誘導部材は、複数の前記頭髪誘導凸部が櫛歯状に形成されている頭髪把持部分と、前記頭髪把持部分の前方に形成された先端部分と、を含み、前記先端部分における前記上側誘導部材と前記下側誘導部材との開口幅が、前方から前記頭髪把持部分に向かって狭くなっている請求項１に記載の塗布具。
【請求項３】
前記上側誘導部材における前記頭髪把持部分の下端が、前記先端部分の下端よりも上方に形成されている請求項２に記載の塗布具。
【請求項４】
複数の前記頭髪誘導凹部には、複数の前記頭髪誘導凸部の少なくとも下端が個々に進入する請求項１から３の何れか一項に記載の塗布具。
【請求項５】
前記下側誘導部材は、複数の前記頭髪誘導凹部が形成されている頭髪把持部分と、前記頭髪把持部分の前方に形成された先端部分と、を含み、前記上側誘導部材の前記先端部分と前記下側誘導部材の前記先端部分とが凹凸嵌合する請求項４に記載の塗布具。
【請求項６】
前記頭髪誘導凹部が、互いに隣接する複数の頭髪誘導突起の間隙であり、前記頭髪誘導突起の上端が、前記下側誘導部材の前記先端部分の上端よりも下方に形成されている請求項４または５に記載の塗布具。
【請求項７】
前記上側誘導部材は、前記吐出口の左右外側の位置で、かつ互いに隣接する複数の前記頭髪誘導凸部の間隙に、リブ状の頭髪誘導隔壁を有する請求項１から６の何れか一項に記載の塗布具。
【請求項８】
前記下側誘導部材には、左右二列の前記頭髪誘導隔壁同士の間隙に対向する少なくとも一列の頭髪誘導壁部がリブ状に突設されている請求項７に記載の塗布具。
【請求項９】
前記下側誘導部材には、左右二列の前記頭髪誘導隔壁同士の間隙に進入する少なくとも一列の頭髪誘導壁部がリブ状に突設されている請求項７に記載の塗布具。
【請求項１０】
前記下側誘導部材では、前記下側誘導部材の上面に形成されていて複数の前記頭髪誘導凸部の少なくとも下端が個々に進入する複数の前記頭髪誘導凹部が形成されている頭髪誘導部分より後方で前記並行支持機構より前方に位置する誘導部分後部が、前記頭髪誘導部分よりも左右方向で幅狭に形成されており、
前記上側誘導部材には、前記誘導部分後部を左右方向から挟持する左右一対の平行ガイド部が下方に突設されている請求項１から９の何れか一項に記載の塗布具。
【請求項１１】
前記上側誘導部材では、前記平行ガイド部が前後方向に変位自在に支持されている請求項１０に記載の塗布具。
【請求項１２】
前記並行支持機構は、前記下側誘導部材が下部に固定されているとともに前記上側誘導部材を上下方向に変位自在に支持している請求項１から１１の何れか一項に記載の塗布具。
【請求項１３】
前記並行支持機構には、前記上側誘導部材を弾発的に下方に付勢する部材付勢機構が内蔵されている請求項１２に記載の塗布具。
【請求項１４】
前記並行支持機構では、前記下側誘導部材と前記上側誘導部材との開放の間隔が可変である請求項１から１３の何れか一項に記載の塗布具。
【請求項１５】
前記上側誘導部材と前記下側誘導部材とは、先端がそれぞれ半球状に形成されている請求項１から１４の何れか一項に記載の塗布具。
【請求項１６】
頭髪の部分染めに利用される部分毛染装置であって、
染毛剤が収容されている吐出容器が連結される容器連結部材と、
前記容器連結部材から前方に細長形状に中空に形成されていて前記染毛剤を吐出させる吐出口が下面に形成されている上側把持部材と、
前記上側把持部材と並行で前記吐出口と対向する細長形状に形成されている下側把持部材と、
前記上側把持部材と前記下側把持部材とを並行に対向させたまま少なくとも一方を上下方向に変位させる並行支持機構と、
前記上側把持部材の下面に突設されていて全体に櫛歯状に形成されている複数の頭髪誘導凸部と、
前記下側把持部材の上面に形成されていて複数の前記頭髪誘導凸部が個々に対向する複数の頭髪誘導凹部と、
を有する部分毛染装置。
【発明の詳細な説明】
【技術分野】
【０００１】
本発明は、頭髪に処理剤を塗布するための塗布具、および頭髪の部分染めに利用される部分毛染装置に関する。
【背景技術】
【０００２】
現在、美容のために頭髪を毛染するなど、種々の処理剤を頭髪に塗布することが普及しており、塗布用の器具も各種が提供されている。ここで、例えば染毛剤を用いた頭髪の毛染の場合、頭髪の全部を一様に毛染する、いわゆる全体染めの場合は、特定部位の頭髪を選択する必要がなく頭髪の全体に染毛剤を塗布すればよいため、その作業は比較的容易である。
【０００３】
しかし、頭髪の一部を選択して毛染する、いわゆる部分染めは、作業が比較的煩雑である。例えば、ヘアサロンでは、いわゆるテールコームと呼称される櫛の先細のテール部分で、部分染めする対象の頭髪を層状に頭部から引き出し、その頭髪に刷毛で染毛剤を塗布している。
【０００４】
ここで、頭髪を層状に引き出すとは、ひとまとまりの頭髪を、ほぼ等しい厚さの平面状に薄くばらけさせた状態で頭部から選り分けることを意味しており、例えば、後述する特許文献１の図１７や特許文献２の図３に、その態様が例示されている。
【０００５】
部分染めは、頭皮に近い内側の頭髪を対象として行う場合がある。このように、頭髪の表層だけではなく、頭皮に近い内側の頭髪を選択して部分染めすることにより、毛染された内側の頭髪が表層の頭髪を通して観察されることとなり、自然な仕上がり状態に頭髪を染めることができる。
【０００６】
しかし、上述のようなヘアサロンの作業を個人ユーザが自身で実行することは困難である。そこで、このような部分染めを個人ユーザが自身で実行するための専用の器具も発案されている。
【０００７】
例えば、ある部分毛染装置は、染毛剤の充填容器の口部に装着するノズル部材として形成されている。そのノズル部材は、先端部分に開口溝が形成されており、その間に部分染めする頭髪を挿通させることができるように形成されている。部分染めを実行する場合には、充填容器に装着したノズル部材の開口溝に、部分染めしたい頭髪を束状に挿通させる。
【０００８】
このとき、ノズル部材を頭髪の根本部分に位置させておき、充填容器を押圧しながら、部分染めする頭髪の根本部分から毛先部分までノズル部材を移動させる。すると、ノズル部材の開口溝に染毛剤が吐出されるので、これで頭髪の所望部分が部分染めされることになる（例えば、特許文献１参照）。
【０００９】
また、他の部分毛染装置としては、櫛体と、その櫛基体部に廻動自在に取付けられた毛髪挟持部材と染毛剤を収容した容器とからなる毛染用具がある。その部分毛染装置では、毛髪挟持部材が、挟持部と操作部とからなり、挟持部が、頭髪の挟持時に櫛歯の両側面を囲む挟持枠を具え、操作部が、毛髪挟持部材の廻動面に沿って延設された指掛け操作部を具えている（例えば、特許文献２参照）。
【先行技術文献】
【特許文献】
【００１０】
【特許文献１】特開平１０−２９０７１２号公報
【特許文献２】特開２００２−１６５６３０号公報
【発明の概要】
【発明が解決しようとする課題】
【００１１】
しかし、上記の特許文献１の部分毛染装置では、ノズル部材の開口溝に部分染めする頭髪を束状に挿通させるので、染毛剤の塗布斑が生じる場合がある。それは、特許文献１の図８や段落００２２に記載のように、束状の頭髪が開口溝の底部で周囲から押さえられながら次第に丸く束ねられてしまい、その結果、頭髪束の表面に比べて、その内部に位置する頭髪に対しては染毛剤を塗布することが困難なためである。
【００１２】
また、特許文献２の毛染装置では、櫛体と挟持部とがハサミ状に揺動自在に軸支されていて、両者を大きく開口させることで頭髪を把持する。従って、頭皮に近い内側の頭髪のみを選択的に層状に頭部から引き出そうとしても、櫛体と挟持部とが大きく開口しているため、挟持部上に乗っている頭髪の全部を把持してしまう。
【００１３】
このため、特許文献２の毛染装置において、頭皮に近い内側の頭髪のみを選択的に層状に頭部から引き出し、これを櫛体と挟持部とで把持して部分染めする場合には、当該頭髪よりも上に位置する他の頭髪をテールコームなどで予め選り分けておく必要がある。
【００１４】
従って、特許文献２の装置の場合、頭髪を均一な層状に把持して部分染めすることが困難であり、個人ユーザが自身で部分染めをすることは容易ではない。
【００１５】
このように、従来の装置の場合、染毛剤などの処理剤を所望の頭髪に塗布することは困難であった。本発明は上述のような課題に鑑みてなされたものであり、個人ユーザでも自身で処理剤を頭髪に容易かつ均一に塗布することができる塗布具、および容易に頭髪を均一な層状に部分染めすることができる部分毛染装置を提供するものである。
【課題を解決するための手段】
【００１６】
本発明の塗布具は、頭髪に処理剤を塗布するための塗布具であって、処理剤を収容する吐出容器が連結される容器連結部材と、処理剤を吐出する吐出口を下面に備え、容器連結部材から前方に伸びて形成されている中空形状の上側誘導部材と、上側誘導部材と並行に配置されて吐出口と対向する下側誘導部材と、上側誘導部材と下側誘導部材とを並行に対向させたまま少なくとも一方を上下方向に変位させる並行支持機構と、を有する。
【００１７】
従って、本発明の塗布具では、並行に配置された上側誘導部材と下側誘導部材との間に層状に案内された頭髪に対して、中空形状の上側誘導部材を通じて吐出口から吐出された処理剤を塗布することができる。そして、頭髪を挟む上側誘導部材および下側誘導部材を頭髪の長さ方向に移動させることで、当該頭髪に対して処理剤を均一に塗布することができる。
【００１８】
また、本発明の部分毛染装置は、頭髪の部分染めに利用される部分毛染装置であって、染毛剤が収容されている吐出容器が連結される容器連結部材と、容器連結部材から前方に細長形状に中空に形成されていて染毛剤を吐出させる吐出口が下面に形成されている上側把持部材と、上側把持部材と並行で吐出口と対向する細長形状に形成されている下側把持部材と、上側把持部材と下側把持部材とを並行に対向させたまま少なくとも一方を上下方向に変位させる並行支持機構と、を有する。
【００１９】
従って、本発明の部分毛染装置では、染毛剤が収容されている吐出容器が容器連結部材の後部に連結される。この容器連結部材から前方に細長形状に中空に形成されている上側把持部材は、その下面に形成されている吐出口から染毛剤を吐出させる。下側把持部材は、上側把持部材と並行で吐出口と対向する細長形状に形成されている。このような上側把持部材と下側把持部材とを並行支持機構が並行に対向させたまま少なくとも一方を上下方向に変位させる。このため、並行に対向したまま接離する上側把持部材と下側把持部材とで、部分染めする頭髪の根本部分が均一な層状に把持される。このような状態で吐出容器が押圧されると上側把持部材の吐出口から染毛剤が吐出されるので、把持されている頭髪の根本部分が部分染めされる。このような状態から吐出容器が押圧されながら部分毛染装置が頭髪の毛先部分まで移動されることで、頭髪が均一な層状に部分染めされる。
【００２０】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２１】
さらに、本発明では前後左右上下の方向を規定しているが、これは本発明の構成要素の相対関係を簡単に説明するために便宜的に規定したものであり、本発明を実施する場合の製造時や使用時の方向を限定するものではない。特に、各部の方向は各部ごとでよく、例えば、ある部分の前方と他の部分の前方とが相反していることも許容する。
【００２２】
本発明でいう毛染とは頭髪の見た目の色を変えることをいい、着色染毛剤を用いて毛髪を着色するヘアーマニキュアのほか、酸化染毛剤等を用いて毛髪の脱色とカラーリングをともにおこなうヘアカラーや、脱色剤や脱染剤等を用いて毛髪を脱色するブリーチを含む。また、本発明で云う部分染めとは、頭皮に生えている多数本のうちの一部の頭髪に対して、その長さ方向の少なくとも一部を毛染することをいう。また、染色する横幅を狭くした筋状染毛（いわゆるストリーク染毛）も、本発明で云う部分染めの範疇に入る。なお、当然ながら、部分染めを頭髪全体に実行すれば、頭髪全部を染毛剤で染色することも可能である。
【発明の効果】
【００２３】
本発明の塗布具および部分毛染装置では、並行に配置された上側誘導部材と下側誘導部材との間に層状に案内された頭髪に対して処理剤を均一に塗布することができる。特に、頭皮に近い内側の頭髪に対して選択的に処理剤を塗布することが可能である。
【図面の簡単な説明】
【００２４】
【図１】本発明の実施の形態の部分毛染装置の外観を示す斜視図であり、（ａ）は上側誘導部材(本実施形態の上側把持部材）と下側誘導部材（本実施形態の下側把持部材）とが開口した状態、（ｂ）は上側把持部材と下側把持部材とが閉止した状態、である。
【図２】部分毛染装置の外観を示す側面図であり、（ａ）は上側把持部材と下側把持部材とが開口した状態、（ｂ）は上側把持部材と下側把持部材とが閉止した状態、である。
【図３】部分毛染装置の外観を示す正面図であり、（ａ）は上側把持部材と下側把持部材とが開口した状態、（ｂ）は上側把持部材と下側把持部材とが閉止した状態、である。
【図４】上側把持部材の外観を示す斜視図であり、（ａ）は前側から見た下方斜視図、（ｂ）は後側から見た下方斜視図である。
【図５】上側把持部材の外観を示し、（ａ）は側面図、（ｂ）は底面図、である。
【図６】下側把持部材の外観を示す斜視図である。
【図７】上側把持部材と下側把持部材とで頭髪がＷ状に支持された状態を示す模式的な縦断正面図である。
【図８】下側把持部材の外観を示し、（ａ）は平面図、（ｂ）は側面図、である。
【図９】変形例の部分毛染装置の下側把持部材の外観を示す斜視図である。
【図１０】変形例の下側把持部材の外観を示し、（ａ）は平面図、（ｂ）は側面図、である。
【発明を実施するための形態】
【００２５】
本発明の実施の一形態を図１から図８を参照して以下に説明する。なお、本実施の形態では、図示するように、前後左右上下の方向を規定して説明するが、これは本実施の形態の構成要素の相対関係を簡単に説明するために便宜的に規定するものであり、本発明を実施する場合の製造時や使用時の方向を限定するものではない。
【００２６】
本実施形態の塗布具（部分毛染装置１００）は、頭髪ＨＩに処理剤を塗布するための器具である。塗布具（部分毛染装置１００）は、容器連結部材１１０と、上側誘導部材（上側把持部材１２０）と、下側誘導部材（下側把持部材１３０）と、並行支持機構１４０とを有している。
容器連結部材１１０は、処理剤を収容する吐出容器ＳＴが連結される部材である。
上側誘導部材（上側把持部材１２０）は中空形状をなし、処理剤を吐出する吐出口１２１を下面に備え、容器連結部材１１０から前方に形成されている部材である。
下側誘導部材（下側把持部材１３０）は、上側誘導部材（上側把持部材１２０）と並行に配置されて吐出口１２１と対向する部材である。
並行支持機構１４０は、上側誘導部材（上側把持部材１２０）と下側誘導部材（下側把持部材１３０）とを並行に対向させたまま、少なくともこれらの一方を上下方向に変位させる機構である。
【００２７】
処理剤としては、例えば、染毛剤、表面つや出し剤、色素定着剤、脱色剤または脱染剤など、毛髪の見た目の色を変化させる液状やゲル状の各種剤を用いることができる。このほか、処理剤としては、頭髪柔軟化剤、頭髪弾性付与剤、くせ毛矯正剤またはウェーブ剤など頭髪の特性を変化させるための剤を用いることができる。
【００２８】
吐出容器ＳＴは、本実施形態の部分毛染装置１００を使用する際に処理剤（本実施形態の染毛剤）を収容しておく容器である。部分毛染装置１００の製造および流通時点では、吐出容器ＳＴに処理剤が収容されている必要はない。
【００２９】
上側誘導部材および下側誘導部材は、両部材の間に頭髪ＨＩを導き入れるとともに、その頭髪ＨＩを層状に薄く分散させるための部材である。上側誘導部材および下側誘導部材は、互いに並行に対向したまま、すなわち互いに平行または略平行を保ったまま、接近または離間する。上側誘導部材と下側誘導部材の形状は特に限定されず、容器連結部材１１０から先端側（前方）に向かって延在する細長形状でもよく、または前後方向よりも左右方向の長さの方が大きい太幅形状でもよい。また、上側誘導部材と下側誘導部材は、それぞれ直線形状でもよく、または湾曲形状でもよい。さらに、上側誘導部材と下側誘導部材とは、互いに接近した状態で、両部材の間に導入されている頭髪ＨＩに接触してこれを挟み込んでもよく、または少なくとも一方の部材は頭髪ＨＩに対して非接触でもよい。以下、本発明の実施形態として、導入された頭髪ＨＩを上下方向から挟み込んで把持した状態で処理剤を供給する上側把持部材１２０および下側把持部材１３０を、上側誘導部材および下側誘導部材の例として説明する。
【００３０】
ここで、説明のため、処理剤の吐出口１２１が形成されている方の部材を上側誘導部材と呼称している。また、上側誘導部材（上側把持部材１２０）からみた下側誘導部材（下側把持部材１３０）の方向を下方と呼称する。ただし、部分毛染装置１００の製造時や使用時の向きは任意であり、上側誘導部材が下側誘導部材よりも鉛直方向の上側に配置されることを意味するものではない。
【００３１】
上側把持部材は中空に形成されている。この中空部の一端は吐出口１２１と連通しており、他端を吐出容器ＳＴと連通させて部分毛染装置１００は用いられる。この中空部を通じて吐出容器ＳＴから吐出口１２１に処理剤が供給される。
【００３２】
より具体的には、本実施の形態の部分毛染装置１００は、頭髪ＨＩの部分染めに利用される器具である。本実施の形態の部分毛染装置１００は、図１から図５に示すように、染毛剤が収容されている吐出容器ＳＴが連結される容器連結部材１１０と、容器連結部材１１０から前方に細長形状に中空に形成されていて染毛剤を吐出させる吐出口１２１が下面に形成されている上側把持部材１２０と、上側把持部材１２０と並行で吐出口１２１と対向する細長形状に形成されている下側把持部材１３０と、上側把持部材１２０と下側把持部材１３０とを並行に対向させたまま少なくとも一方を上下方向に変位させる並行支持機構１４０と、を有する。
【００３３】
より詳細には、本実施の形態の部分毛染装置１００では、図４および図５に示すように、上側把持部材１２０の下面に複数の吐出口１２１が左右二列に形成されている。また、本実施の形態の部分毛染装置１００は、少なくとも上側把持部材１２０に配列されている吐出口１２１の間隙ごとに下方に突設されていて全体に櫛歯状に形成されている複数の頭髪誘導凸部１２２を、さらに有する。すなわち、上側誘導部材（上側把持部材１２０）の下面に複数の頭髪誘導凸部１２２が櫛歯状に突出して形成されている。
【００３４】
複数の吐出口１２１は、図５（ｂ）に示すように、上側把持部材１２０の先端側ほど直径が大きくなるように形成されている。これは、高粘度の染毛剤を上側把持部材１２０の基端側に供給して先端側ほど吐出圧が低くなった場合でも、それぞれの吐出口１２１から均等に染毛剤を吐出させるためである。説明のため、図５（ｂ）には、二列に並ぶ吐出口１２１の中心線を細線で図示している。同図に示すように、各列で互いに隣接する吐出口１２１同士の中心間距離は等しい。
【００３５】
また、図４および図５に示すように、上側把持部材１２０は、複数の頭髪誘導凸部１２２が櫛歯状に形成されている頭髪把持部分１２６と、頭髪把持部分１２６の前方に形成された先端部分１２５とを含んでいる。そして、先端部分１２５における上側把持部材１２０と下側把持部材１３０との開口幅が、前方から頭髪把持部分１２６に向かって狭くなっている。
【００３６】
より具体的には、上側把持部材１２０の先端部分１２５は、厚み方向にテーパー状をなし、先端部分１２５の下面は上側把持部材１２０の先端側から頭髪把持部分１２６に向かって連続的に下り傾斜している。また、頭髪把持部分１２６の前端の下面は、先端部分１２５の後端の下面と同じ高さか又はより上方に位置している。
【００３７】
上側把持部材１２０の先端部分１２５は、先細形状をなし、頭髪把持部分１２６の前端から先細側に向かって徐々に細幅に形成されている。先端部分１２５の前縁には、半球状の鈍頭部１２８が形成されている。
【００３８】
先端部分１２５の下面には円筒状の凹溝１２７が形成されている。より具体的には、凹溝１２７は、円筒面を中心軸に対して斜めに切断した形状をなしている。これにより、先端部分１２５の基端（前縁と反対側端）には爪部１２９が下方に突出して形成されている。
【００３９】
上側把持部材１２０の頭髪把持部分１２６に形成された頭髪誘導凸部１２２の下端は、先端部分１２５の下り傾斜した最下端位置にあたる爪部１２９と同じ高さ、または爪部１２９よりも上方にある。つまり、頭髪誘導凸部１２２は、先端部分１２５の最下端位置と面一またはその上方に位置している。
【００４０】
また、図３（ａ）に示すように、上側把持部材１２０の正面視において、頭髪誘導凸部１２２（図４を参照）は先端部分１２５の背後に完全に隠れている。言い換えると、頭髪誘導凸部１２２は、正面視において先端部分１２５の爪部１２９（図４を参照）に包含されており、正面側から頭髪誘導凸部１２２を目視することはできない。
【００４１】
すなわち、本実施形態の上側把持部材１２０における頭髪把持部分１２６の下端は、先端部分１２５の下端と同じ高さか又はより上方に形成されている。
【００４２】
また、図６、図８に示すように、部分毛染装置１００は、下側把持部材１３０の上面に形成されていて複数の頭髪誘導凸部１２２の下端部分が個々に進入する複数の頭髪誘導凹部１３２を有している。なお、頭髪誘導凹部１３２には、頭髪誘導凸部１２２の下端側の一部のみが進入してもよく、またはその全体が進入してもよい。
【００４３】
一方、下側把持部材１３０は、複数の頭髪誘導凹部１３２が形成されている頭髪把持部分１３８と、頭髪把持部分１３８の前方に形成された先端部分１３６と、を含んでいる。そして、上側把持部材１２０の先端部分１２５と下側把持部材１３０の先端部分１３６とは、互いに凹凸嵌合する。
【００４４】
下側把持部材１３０の頭髪把持部分１３８は、上側把持部材１２０の頭髪把持部分１２６に対向して頭髪を挟み込む長さ領域である。
下側把持部材１３０の先端部分１３６は、先細形状をなし、頭髪把持部分１３８の前端から先細側に向かって徐々に細幅に形成されている。先端部分１３６の前縁には、半球状の鈍頭部１３６１が形成されている。
【００４５】
下側把持部材１３０の先端部分１３６の上端は凸面状、より具体的には円筒面状に形成されている。本実施形態の下側把持部材１３０の先端部分１３６には、円筒面状に突出した凸面部１３６２が前後方向に延在している。
【００４６】
図８（ｂ）に示すように、凸面部１３６２の上端の稜線は、鈍頭部１３６１から頭髪把持部分１３８に向かってわずかに上り傾斜している。これにより、図２（ａ）に示す開放状態において、上側把持部材１２０の先端部分１２５と下側把持部材１３０の先端部分１３６との間隔は、前方側ほど広くなっている。
【００４７】
下側把持部材１３０の先端部分１３６の上端を凸面部１３６２としたことにより、部分毛染装置１００に把持される頭髪ＨＩ（図７を参照）は、下側把持部材１３０に対して凸面部１３６２と点接触することになる。このため、鈍頭部１２８，１３６１の間に導入した頭髪ＨＩを、頭髪把持部分１２６，１３８まで滑らかに送ることができる。
【００４８】
図３（ｂ）に示すように、上側把持部材１２０と下側把持部材１３０とが閉じた状態で、下側把持部材１３０の凸面部１３６２は、上側把持部材１２０の凹溝１２７に嵌合する。また、図６、図８に示すように下側把持部材１３０の先端部分１３６には、凹部１３６３が形成されている。凹部１３６３は、上側把持部材１２０の爪部１２９と嵌合する。
【００４９】
ここで、図２（ａ）に示すように、上側把持部材１２０における凹溝１２７は鈍頭部１２８から爪部１２９に向かって後方に下り傾斜し、逆に下側把持部材１３０の凸面部１３６２は後方に向かって上り傾斜している。
【００５０】
従って、上側把持部材１２０と下側把持部材１３０とが閉止するにあたっては、凹溝１２７と凸面部１３６２とは、後方から前方に向かって徐々に嵌合してゆく。このため、下側把持部材１３０と上側把持部材１２０との間に頭髪ＨＩ（図７を参照）を層状に導入した状態で下側把持部材１３０と上側把持部材１２０とを閉止すると、爪部１２９よりも前方の頭髪ＨＩは、凹溝１２７と凸面部１３６２とによって徐々に押し出されて前送りされる。一方、頭髪把持部分１２６，１３８まで深く導入された頭髪ＨＩは、前後方向に移動することなく頭髪誘導凸部１２２と頭髪誘導突起１３７とで挟み込まれる。
【００５１】
また、図２（ｂ）に示すように、上側把持部材１２０と下側把持部材１３０とが閉じた状態で、上側把持部材１２０の鈍頭部１２８と、下側把持部材１３０の鈍頭部１３６１とは互いに離間し、部分毛染装置１００の前端にはＶ字状の開口１３９が形成される。
そして、凹溝１２７と凸面部１３６２とで前送りされた頭髪ＨＩは、部分毛染装置１００の前端の開口１３９に至ることで、上側把持部材１２０および下側把持部材１３０に対して非把持状態となる。
【００５２】
このように、本実施形態の部分毛染装置１００は、上側把持部材１２０と下側把持部材１３０との間に頭髪ＨＩを導入した状態で両部材を閉じるだけで、部分染めの対象の頭髪ＨＩのみを頭髪把持部分１２６，１３８に残し、他の頭髪ＨＩを先端部分１２５，１３６から前方に取り出すことができる。
【００５３】
このため、上側把持部材１２０と下側把持部材１３０とを閉じた状態で頭髪ＨＩを頭部から層状に引き出すことができる。そして、上側把持部材１２０と下側把持部材１３０とで頭髪ＨＩを挟んだ状態で頭髪把持部分１２６，１３８に染毛剤を吐出することで、目的の頭髪ＨＩのみを部分染めすることができ、かつ、他の頭髪に対して染毛剤が不要に付着することが防止されている。
【００５４】
図８（ｂ）に示すように、下側把持部材１３０の頭髪把持部分１３８に形成された頭髪誘導凹部１３２の上端は、凸面部１３６２の上り傾斜した最上端位置と同じ高さ、または凸面部１３６２の最上端位置よりも下方にある。つまり、頭髪誘導凹部１３２は、先端部分１３６の最上端位置と面一またはその下方に位置している。
【００５５】
また、図３（ａ）に示すように、下側把持部材１３０の正面視において、頭髪誘導凹部１３２（同図では図示せず）は先端部分１３６の背後に完全に隠れている。言い換えると、頭髪誘導凹部１３２は、正面視において先端部分１３６に包含されており、正面側から頭髪誘導凹部１３２を目視することはできない。
【００５６】
そして、本実施形態の下側把持部材１３０において、頭髪誘導凹部１３２は、互いに隣接する複数の頭髪誘導突起１３７の間隙である。また、図８（ｂ）に示すように、頭髪誘導突起１３７の上端は、下側把持部材１３０の先端部分１３６の上端と同じ高さであるか、又は先端部分１３６の上端よりも下方に形成されている。
【００５７】
このように、本実施形態では、上側把持部材１２０における頭髪把持部分１２６の下端は、先端部分１２５の下端と同じ高さか又はより上方に形成され、下側把持部材１３０における頭髪把持部分１３８の上端は、先端部分１３６の上端と同じ高さか又はより下方に形成されている。
【００５８】
言い換えると、上側把持部材１２０および下側把持部材１３０の頭髪把持部分１２６，１３８における対向間隔は、先端部分１２５，１３６における対向間隔と同じか又はより大きい。
【００５９】
これにより、鈍頭部１２８，１３６１から先端部分１２５，１３６に導入された頭髪ＨＩが頭髪誘導凸部１２２に係合することなく、層状を保ったままで、頭髪把持部分１２６，１３８から後述する平行ガイド部１２４に至るまで滑らかに送ることができる。このため、頭髪把持部分１２６，１３８に把持される頭髪ＨＩが束状にまとまってしまうことがなく、頭髪ＨＩの全体に対して染毛剤を均一に接触させることができる。
【００６０】
また、上側把持部材１２０は、図４および図５に示すように、左右二列の吐出口１２１より左右外側の位置で、かつ互いに隣接する複数の頭髪誘導凸部１２２の間隙にリブ状の頭髪誘導隔壁１２３が形成されている。
【００６１】
そして、下側把持部材１３０は、図６および図８に示すように、左右二列の頭髪誘導隔壁１２３同士の間隙に対向する少なくとも一列の頭髪誘導壁部１３３がリブ状に突設されている。すなわち、下側把持部材１３０は、左右二列の頭髪誘導隔壁１２３同士の間隙に進入する少なくとも一列の頭髪誘導壁部１３３がリブ状に突設されている。
【００６２】
頭髪誘導壁部１３３は、前後方向に伸びる半割円筒状の周壁部１３５の内部に設けられている。並行支持機構１４０における上側把持部材１２０の下限位置において、下側把持部材１３０の周壁部１３５の上端は、頭髪誘導隔壁１２３の下端よりも上方に位置している。
【００６３】
さらに、下側把持部材１３０は、頭髪誘導凹部１３２が形成されている頭髪誘導部分１３１より後方で並行支持機構１４０より前方に位置する誘導部分後部１３４が、頭髪誘導部分１３１よりも左右方向で幅狭に形成されている。
【００６４】
そして、上側把持部材１２０には、図２（ａ）に示すように、誘導部分後部１３４を左右方向から挟持する左右一対の平行ガイド部１２４が下方に突設されている。なお、詳細には後述するが、図１（ａ）等に示すように、上述の平行ガイド部１２４は使用状態で下側把持部材１３０より下方まで突出して頭部（図示せず）に接触する可能性があるため、その下端は軸心方向が前後方向と平行な半円筒状に形成されている。
【００６５】
また、本実施の形態の部分毛染装置１００では、並行支持機構１４０は、図１から図３に示すように、下側把持部材１３０が下部に一体に固定されており、上側把持部材１２０を上下方向に変位自在に支持している。
【００６６】
そして、並行支持機構１４０は、図３に示すように、上側把持部材１２０を弾発的に下方に付勢する部材付勢機構であるコイルスプリング１４３が支持機構ケーシング１４１の内部に内蔵されている。
【００６７】
前述のように上側把持部材１２０は吐出容器ＳＴが連結される容器連結部材１１０と一体に形成されており、並行支持機構１４０のボックス状の支持機構ケーシング１４１に上下方向にスライド自在に挿通されている。
【００６８】
そして、この支持機構ケーシング１４１は、上述のように上側把持部材１２０を挿通させるとともにコイルスプリング１４３を内蔵するため、例えば、上面が開口されている。ただし、本実施の形態の部分毛染装置１００では、支持機構ケーシング１４１の上面開口は、例えば、手指などが配置される手指ガイド部１４２で閉止されている。
【００６９】
上述のような構成において、本実施の形態の部分毛染装置１００では、染毛剤が収容されている吐出容器ＳＴが、容器連結部材１１０に後方から連結される。
【００７０】
ここで、本実施形態では吐出容器ＳＴは、スクイズ容器である。本発明で云うスクイズ容器とは、染毛剤を収容した柔軟なチューブやボトルを意味しており、手指で押圧するだけで収容されている染毛剤を吐出させることができるものである。
【００７１】
吐出容器（スクイズ容器）ＳＴの吐出口には逆止弁（図示せず）を設けることが望ましい。逆止弁を設けることにより、空気中の酸素が吐出容器ＳＴに流入することを防止でき、染毛剤の酸化を防ぐことができる。
【００７２】
また、吐出容器ＳＴに充填、収容されている染毛剤の量が少ない場合に、吐出容器ＳＴを押圧した際に、圧縮された空気によって、勢い良く染毛剤が飛び出すことを防止することができる。
【００７３】
なお、本実施の形態の部分毛染装置１００は、上述のように吐出容器ＳＴが装着された状態で製品として販売されてもよく、吐出容器ＳＴを装着できる別個の製品として販売されてもよい。
【００７４】
このように吐出容器ＳＴが連結される容器連結部材１１０から前方に細長形状に中空に形成されている上側把持部材１２０は、下面に少なくとも左右二列に形成されている複数の吐出口１２１から染毛剤を吐出させる。
【００７５】
下側把持部材１３０は、上側把持部材１２０と並行で吐出口１２１と対向する細長形状に形成されている。図１から図３に示すように、このような上側把持部材１２０と下側把持部材１３０とを並行支持機構１４０が並行に対向させたまま少なくとも一方を上下方向に変位させる。このため、図１（ａ）等に示すように、並行に開口した上側把持部材１２０と下側把持部材１３０とで、部分染めする頭髪ＨＩを層状に選択的に取得することができる。
【００７６】
具体的には、下側把持部材１３０を頭皮に沿って摺動させると、摺動方向に並んで生えている頭髪ＨＩを、上側把持部材１２０と下側把持部材１３０との先端部分１２５，１３６の間隔（開口幅）を層厚として、上側把持部材１２０と下側把持部材１３０との間に層状に導入することができる。このとき、上側把持部材１２０と下側把持部材１３０とは先細形状なので、部分染めする頭髪ＨＩを層状に容易に選択的に取得することができる。
【００７７】
そして、上述のように並行に開口した上側把持部材１２０と下側把持部材１３０とで、部分染めする頭髪ＨＩが層状に選択的に取得されると、図３（ｂ）等に示すように、コイルスプリング１４３により上側把持部材１２０が下側把持部材１３０に弾発的に閉止される。
【００７８】
このため、手動操作で上側把持部材１２０と下側把持部材１３０とを閉止し続けるような必要がなく、上側把持部材１２０と下側把持部材１３０とで頭髪ＨＩを適正な圧力で把持することができる。
【００７９】
上述のような状態で吐出容器ＳＴが押圧されると、上側把持部材１２０の吐出口１２１から染毛剤が吐出されるので、把持されている頭髪ＨＩの根本部分が部分染めされる。
【００８０】
このような状態から吐出容器ＳＴが押圧されながら部分毛染装置１００が頭髪ＨＩの毛先部分まで移動されることで、個人ユーザでも容易に頭髪ＨＩを均一な層状に把持して根本部分から毛先部分まで部分染めすることができる。
【００８１】
また、上側把持部材１２０は、図４および図５に示すように、左右二列の吐出口１２１より左右外側の位置で複数の頭髪誘導凸部１２２の間隙にリブ状に頭髪誘導隔壁１２３が形成されている。このため、吐出口１２１から吐出して頭髪ＨＩに付着した染毛剤を頭髪誘導隔壁１２３により適正にならすことができる。
【００８２】
さらに、図６から図８に示すように、下側把持部材１３０には左右二列の頭髪誘導隔壁１２３の間隙に進入する一列の頭髪誘導壁部１３３がリブ状に突設されている。このため、上側把持部材１２０と下側把持部材１３０とで層状に把持された頭髪ＨＩは、図７に示すように、左右二列の頭髪誘導隔壁１２３と中央一列の頭髪誘導壁部１３３とでＷ状に支持されて二列の吐出口１２１に対向される。
【００８３】
この状態で部分毛染装置１００を頭髪ＨＩの毛先方向に向かってスライドさせると、層状の頭髪ＨＩは同図に示すようにＷ状にうねりながら、染毛剤と接触しつつ、上側把持部材１２０と下側把持部材１３０との間を通過する。
【００８４】
従って、上側把持部材１２０と下側把持部材１３０とで層状に把持された頭髪ＨＩは、二列の吐出口１２１に確実に対向されて染毛剤で根本部分から良好に部分染めされる。このとき、頭髪誘導隔壁１２３と頭髪誘導壁部１３３とは、その間を通過する層状の頭髪ＨＩをしごき、染毛剤を内部に含浸させる。
【００８５】
特に、本実施形態の頭髪誘導隔壁１２３と頭髪誘導壁部１３３とは上下方向の逆向きに突出しているため、層状の頭髪ＨＩに対して上下両側から染毛剤を含浸させ、塗布斑なく部分染めを行うことができる。
【００８６】
ここで、図４および図５に示すように、上側把持部材１２０の下面には複数の頭髪誘導凸部１２２が突設されていて全体に櫛歯状に形成されている。このため、層状に取得された頭髪ＨＩは、頭髪誘導凸部１２２によって前後方向に複数に分断した状態で頭髪把持部分１２６，１３８に把持される。
【００８７】
特に、図６から図８に示すように、下側把持部材１３０の上面に形成されている複数の頭髪誘導凹部１３２に複数の頭髪誘導凸部１２２の下端が個々に進入する。このため、上述のように層状に取得された頭髪ＨＩを確実に複数に分断して把持することができる。
【００８８】
従って、頭髪ＨＩに染毛剤を塗布する際に、層状に把持した頭髪ＨＩを根本部分から毛先部分まで部分毛染装置１００の左右方向に移動させるとき、頭髪ＨＩが前後に移動して束状にまとまってしまうことがない。これにより、頭髪ＨＩには染毛剤が均一に塗布される。
【００８９】
また、上側把持部材１２０と下側把持部材１３０とが並行に開口した状態では、上側把持部材１２０の左右一対の平行ガイド部１２４が下側把持部材１３０の下端より下方には突出しない。
【００９０】
このため、平行ガイド部１２４が頭部に衝突することもなく、並行に開口した上側把持部材１２０と下側把持部材１３０とで、部分染めする頭髪ＨＩを根本部分から選択的に取得することができる。
【００９１】
さらに、上側把持部材１２０と下側把持部材１３０とで把持された層状の頭髪ＨＩは、周壁部１３５に接触してから下側把持部材１３０を左右方向に通過する。このため、過剰な染毛剤は周壁部１３５によって頭髪ＨＩから掻き落とされて液溜部１３５１（図６、図８を参照）に蓄えられる。このため、液溜部１３５１を通過する頭髪ＨＩの全体に対して染毛剤を均一に塗布することが可能である。
【００９２】
しかも、本実施の形態の部分毛染装置１００では、図６から図８に示すように、下側把持部材１３０は、頭髪誘導凹部１３２が形成されている頭髪誘導部分１３１より後方で並行支持機構１４０より前方に位置する誘導部分後部１３４が左右方向で幅狭に形成されている。
【００９３】
そして、図４および図５に示すように、上側把持部材１２０は、下側把持部材１３０の誘導部分後部１３４を左右方向から挟持する左右一対の平行ガイド部１２４が下方に突設されている。
【００９４】
このため、図１（ｂ）等に示すように、上側把持部材１２０と下側把持部材１３０との間隙に層状に挿入される頭髪ＨＩの位置を平行ガイド部１２４によって規制することができる。
【００９５】
さらに、本実施の形態の部分毛染装置１００では、図１等に示すように、並行支持機構１４０は、下側把持部材１３０が下部に固定されているとともに上側把持部材１２０を上下方向に変位自在に支持している。このため、上側把持部材１２０と下側把持部材１３０とで頭髪ＨＩを根本部分から容易に把持して部分染めすることができる。
【００９６】
そして、上側把持部材１２０に吐出容器ＳＴが連結されるので、この吐出容器ＳＴが下側把持部材１３０に連結される場合に比較して、頭部から離間した位置に保持される。
【００９７】
従って、吐出容器ＳＴが頭部に当接することを良好に防止することができ、上側把持部材１２０と下側把持部材１３０とで頭髪ＨＩを根本部分から容易に把持して部分染めすることができる。
【００９８】
また、上側把持部材１２０と下側把持部材１３０とは、並行支持機構１４０に内蔵されているコイルスプリング１４３により弾発的に頭髪ＨＩを把持する。このため、利用者が意識せずとも頭髪ＨＩを適切な圧力で層状に把持して部分染めすることができる。
【００９９】
なお、本発明は本実施の形態に限定されるものではなく、その要旨を逸脱しない範囲で各種の変形を許容する。例えば、上記形態では吐出容器ＳＴが上側把持部材１２０に連結されることを例示したが、下側把持部材１３０に連結されてもよい。この場合、当然ながら、下側把持部材１３０が中空とされて上面に吐出口が形成されることになる（図示せず）。
【０１００】
また、上記形態では、図４および図５に示すように、上側把持部材１２０に配列されている吐出口１２１の間隙ごとに複数の頭髪誘導凸部１２２が下方に突設されており、図６から図８に示すように、下側把持部材１３０の上面に形成されている複数の頭髪誘導凹部１３２に複数の頭髪誘導凸部１２２が個々に進入することを例示した。
【０１０１】
しかし、頭髪誘導凹部１３２は、本実施形態のように凸状の部材（頭髪誘導突起１３７）の間隙として形成されてもよく、または凹状の部材によって形成されてもよい。すなわち、下側把持部材１３０の上面には、上側把持部材に配列されている複数の頭髪誘導凸部が個々に対向する複数の頭髪誘導凹部を有していてもよい。
【０１０２】
さらに、上記形態では、上側把持部材１２０の頭髪把持部分１２６に複数の正円状の吐出口１２１が左右二列に形成されていることを例示した。しかし、吐出口が長穴状に形成されていてもよく、上側把持部材に一つのスリット状に吐出口が形成されていてもよい。吐出口をスリット状とする場合には、前方ほど幅広の形状とし、高粘度の染毛剤を頭髪把持部分１２６に亘って均等に吐出させるとよい。
【０１０３】
また、上側把持部材１２０の下面に形成する吐出口１２１を左右二列にせず、三列以上として高粘度の染毛剤を良好に吐出させてもよい。一方、染毛剤が低粘度の場合には、吐出口を一列としてもよい。
【０１０４】
さらに、上記形態では頭髪誘導凸部１２２間に吐出口１２１が一つずつ形成されていることを例示した。しかし、頭髪誘導凸部１２２間に吐出口１２１が複数ずつ形成されていてもよい。
【０１０５】
同様に、上記形態では上側把持部材１２０の二列の頭髪誘導凸部１２２の間隙にリブ状に頭髪誘導隔壁１２３が形成されており、下側把持部材１３０には左右二列の頭髪誘導隔壁１２３の間隙に進入する一列の頭髪誘導壁部１３３がリブ状に突設されていることを例示した。
【０１０６】
しかし、上側把持部材の左右二列の頭髪誘導隔壁と対向する形状に、下側把持部材の頭髪誘導壁部が形成されていてもよい（図示せず）。この場合、いわゆる癖毛やウェーブヘアーなど、直毛に比べて櫛通りの良くない頭髪ＨＩでも、上側把持部材１２０と下側把持部材１３０との間隙を容易に挿通させることができる。
【０１０７】
同様に、図６から図８に示すように、上記形態では下側把持部材１３０の中央に一列の頭髪誘導壁部１３３がリブ状に突設されていることを例示した。しかし、図９および図１０に例示する下側把持部材２００のように、頭髪誘導壁部１３３が形成されていなくともよい。
【０１０８】
この場合、いわゆる癖毛やウェーブヘアーなど、直毛に比べて櫛通りの良くない頭髪ＨＩでも、上側把持部材１２０と下側把持部材２００との間隙を容易に挿通させることができる。同様に、上側把持部材１２０の頭髪誘導隔壁１２３を低く形成したり省略したりすることでも、癖毛などを容易に挿通させることができる。
【０１０９】
さらに、上記形態では上側把持部材１２０から下方に突設されている左右一対の平行ガイド部１２４が下側把持部材１３０の誘導部分後部１３４を左右方向から挟持することを例示した。
【０１１０】
しかし、このような平行ガイド部が下側把持部材１３０から上方に突設されていて上側把持部材１２０の幅狭の誘導部分後部を左右方向から挟持してもよい。ただし、上側把持部材１２０は染毛剤を内部に流通させるために中空かつ所定幅をもって形成することが好ましいため、下側把持部材１３０よりも幅広であることが好ましい。このため、上記形態のように平行ガイド部１２４を上側把持部材１２０に設けて、この平行ガイド部１２４により下側把持部材１３０を左右両側から挟持するよう構成することが好適である。これにより、平行ガイド部１２４を細幅とすることができ、頭髪ＨＩを誘導する動作が平行ガイド部１２４により損なわれることがない。
【０１１１】
また、上記形態では上側把持部材１２０から左右一対の平行ガイド部１２４が下方に固定的に突設されていることを例示した。しかし、このような平行ガイド部が上側把持部材に前後方向に変位自在に支持されていてもよい（図示せず）。
【０１１２】
この場合、平行ガイド部の位置により、上側把持部材１２０と下側把持部材１３０との間隙に層状に挿通される頭髪ＨＩの横幅が可変であるので、個人ユーザでも容易に部分染めする頭髪ＨＩの横幅を調整することができる。
【０１１３】
さらに、上記形態では並行支持機構１４０により上側把持部材１２０が下側把持部材１３０から上方に所定位置まで並行に開放されて頭髪ＨＩが層状に挿通されることを例示した。
【０１１４】
しかし、このような並行支持機構が、上側把持部材１２０と下側把持部材１３０との開放の間隔が可変（変更自在）な機構であってもよい。例えば、支持機構ケーシング１４１に対する手指ガイド部１４２の最大上昇位置を規制するストッパー部材（図示せず）の位置を可変とし、上側把持部材１２０と下側把持部材１３０との最大開き間隔を調整可能にするとよい。この場合、上側把持部材１２０と下側把持部材１３０との間隙に層状に挿通される頭髪ＨＩの層厚が可変となるので、個人ユーザでも容易に部分染めする頭髪ＨＩの層厚を調整することができる。
【０１１５】
また、上記形態では吐出容器を１重のスクイズ容器で例示したが、例えば特開平４−１８９７８１号公報や特開平１０−１６５２２２号公報等に記載の二重のスクイズ容器としてもよい。二重容器とすることにより、染毛剤が充填されている内側容器を交換するだけで、外側容器を再利用することができる。
【０１１６】
また、例えば特開２０００−１６４７０号公報等に記載のように、可撓性外側層と該外側層に剥離自在に積層された内側層で構成され、外側層に空気導入孔を備え、内側層に吐出口を連通してなるスクイズ容器も吐出容器として使用することもできる。該容器を使用した場合には、あらゆる容器姿勢で染毛剤を吐出でき、染毛剤の残量が少なくなっても、空気の巻き込みによる染毛剤の飛散を防止することができる。
【０１１７】
さらに、スクイズ容器以外の容器も吐出容器として使用することができる。例えば特開平９−２９５６７４号公報に記載の、筒状に形成された外筒と、外筒に収容され、開口部が外筒の開口部と一体化された内袋と、外筒の開口部とは反対側端部に回転自在に固定された底蓋からなる二重容器を使用することができる。さらに、特開平９−１９３９５８号公報に記載の、容器体下部内に、容器体の液体減少によって上昇する摺動皿を嵌合させた、ポンプ式の液体注出容器も使用することができる。
【０１１８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。たとえば、本実施形態では上側誘導部材および下側誘導部材が容器連結部材１１０から前方に直線状に突出している塗布具を例示したが、本発明はこれに限られない。上側誘導部材および下側誘導部材のうち吐出口１２１が形成されて処理剤が吐出される先端部が、容器連結部材１１０に接続されて処理剤が供給される基端部に対して、図１に示す左右方向に向かってＬ字状に屈曲、または円弧状に湾曲していてもよい。この場合、上述した塗布具の説明において、上側把持部材１２０および下側把持部材１３０に関する左右方向と、容器連結部材１１０に関する左右方向とは必ずしも一致しない。すなわち、上側誘導部材（上側把持部材１２０）および下側誘導部材（下側把持部材１３０）に関する左右方向とは、これらの部材が延在する方向（前後方向）と、並行支持機構１４０の変位方向（上下方向）とに対してともに直交する方向である。一方、容器連結部材１１０に関する左右方向とは、吐出容器ＳＴから吐出された処理剤が容器連結部材１１０を通過する方向（前後方向）と、上記の上下方向とに対してともに直交する方向である。
【０１１９】
本実施形態は以下の技術的思想を包含する。
（１）頭髪の部分染めに利用される部分毛染装置であって、染毛剤が収容されている吐出容器が連結される容器連結部材と、上記容器連結部材から前方に細長形状に中空に形成されていて上記染毛剤を吐出させる吐出口が下面に形成されている上側把持部材と、上記上側把持部材と並行で上記吐出口と対向する細長形状に形成されている下側把持部材と、上記上側把持部材と上記下側把持部材とを並行に対向させたまま少なくとも一方を上下方向に変位させる並行支持機構と、を有する部分毛染装置；
（２）上記上側把持部材の下面に突設されていて全体に櫛歯状に形成されている複数の頭髪誘導凸部を、さらに有する（１）に記載の部分毛染装置；
（３）上記上側把持部材は、複数の上記頭髪誘導凸部が櫛歯状に形成されている頭髪把持部分と、上記頭髪把持部分の前方に形成された先端部分と、を含み、上記先端部分における上記上側把持部材と上記下側把持部材との開口幅が、前方から上記頭髪把持部分に向かって狭くなっている（２）に記載の部分毛染装置；
（４）上記上側把持部材における上記頭髪把持部分の下端が、上記先端部分の下端よりも上方に形成されている（３）に記載の部分毛染装置；
（５）上記下側把持部材の上面に形成されていて複数の上記頭髪誘導凸部が個々に対向する複数の頭髪誘導凹部を、さらに有する（２）から（４）の何れかに記載の部分毛染装置；
（６）上記下側把持部材の上面に形成されていて複数の上記頭髪誘導凸部の少なくとも下端が個々に進入する複数の頭髪誘導凹部を、さらに有する（２）から（４）の何れかに記載の部分毛染装置；
（７）上記下側把持部材は、複数の上記頭髪誘導凹部が形成されている頭髪把持部分と、上記頭髪把持部分の前方に形成された先端部分と、を含み、上記上側把持部材と上記下側把持部材との上記先端部分同士が、互いに凹凸嵌合する（６）に記載の部分毛染装置；
（８）複数の上記頭髪誘導凹部が複数の頭髪誘導突起の間隙で形成されており、上記頭髪誘導突起の上端が、上記先端部分の上端よりも下方に形成されている（６）または（７）に記載の部分毛染装置；
（９）上記上側把持部材は、上記吐出口より左右外側の位置で複数の上記頭髪誘導凸部の間隙にリブ状に頭髪誘導隔壁が形成されている（２）ないし（８）の何れかに記載の部分毛染装置；
（１０）上記下側把持部材は、左右二列の上記頭髪誘導隔壁の間隙に対向する少なくとも一列の頭髪誘導壁部がリブ状に突設されている（９）に記載の部分毛染装置；
（１１）上記下側把持部材は、左右二列の上記頭髪誘導隔壁の間隙に進入する少なくとも一列の頭髪誘導壁部がリブ状に突設されている（９）に記載の部分毛染装置；
（１２）上記下側把持部材は、上記頭髪誘導凹部が形成されている頭髪誘導部分より後方で上記並行支持機構より前方に位置する誘導部分後部が左右方向で幅狭に形成されており、上記上側把持部材は、上記誘導部分後部を左右方向から挟持する左右一対の平行ガイド部が下方に突設されている（６）ないし（１１）の何れかに記載の部分毛染装置；
（１３）上記上側把持部材は、上記平行ガイド部が前後方向に変位自在に支持されている（１２）に記載の部分毛染装置；
（１４）上記並行支持機構は、上記下側把持部材が下部に固定されているとともに上記上側把持部材を上下方向に変位自在に支持している（１）ないし（１３）の何れかに記載の部分毛染装置；
（１５）上記並行支持機構は、上記上側把持部材を弾発的に下方に付勢する部材付勢機構が内蔵されている（１４）に記載の部分毛染装置；
（１６）上記並行支持機構は、上記下側把持部材と上記上側把持部材との開放の間隔を可変する（１）ないし（１５）の何れかに記載の部分毛染装置；
（１７）上記上側把持部材と上記下側把持部材とは、先端が半球状に形成されている（１）ないし（１６）の何れかに記載の部分毛染装置。
【符号の説明】
【０１２０】
１００  部分毛染装置
１１０  容器連結部材
１２０  上側把持部材
１２１  吐出口
１２２  頭髪誘導凸部
１２３  頭髪誘導隔壁
１２４  平行ガイド部
１２５  先端部分
１２６  頭髪把持部分
１２７  凹溝
１２８  鈍頭部
１２９  爪部
１３０  下側把持部材
１３１  頭髪誘導部分
１３２  頭髪誘導凹部
１３３  頭髪誘導壁部
１３４  誘導部分後部
１３５  周壁部
１３５１  液溜部
１３６  先端部分
１３６１  鈍頭部
１３６２  凸面部
１３６３  凹部
１３７  頭髪誘導突起
１３８  頭髪把持部分
１３９  開口
１４０  並行支持機構
１４１  支持機構ケーシング
１４２  手指ガイド部
１４３  コイルスプリング
２００  下側把持部材
ＨＩ  頭髪
ＳＴ    吐出容器
【図１】
0005646959.tif 000002
【図２】
0005646959.tif 000003
【図３】
0005646959.tif 000004
【図４】
0005646959.tif 000005
【図５】
0005646959.tif 000006
【図６】
0005646959.tif 000007
【図７】
0005646959.tif 000008
【図８】
0005646959.tif 000009
【図９】
0005646959.tif 000010
【図１０】
0005646959.tif 000011